(57)【特許請求の範囲】
【請求項１】
シート状の基材に美容液などを含浸させたり塗布したフェイスマスクであって、基材が、繊維径が５０〜１０００ｎｍの合成繊維を５〜５０重量％含み、目付けが３０〜１００ｇ／ｍ２、湿潤動摩擦係数が２．０以上、湿潤剛軟度が１〜５ｃｍである不織布からなり、顔を覆う本体部とその下部に２本の足部を有し、本体部で顔を覆った後、顎の下でそれぞれの足部をクロスさせ、右側の足部は左側のフェイスラインに沿って、左側の足部は右側のフェイスラインに沿って、それぞれ持ち上げて本体部に密着させて用いられる形状を有することを特徴とするフェイスマスク。
【請求項２】
足部は末端に行くにつれて幅狭になるが末端部はその直前の横幅よりも幅広であることを特徴とする請求項１記載のフェイスマスク。
【請求項３】
本体部の左右の頬の部分に切れ込み線を有してなり、本体部で顔を覆った後、切れ込み線より下の部分の端部の少なくとも一部を持ち上げることで切れ込み線より上の部分に重ね合わせることができるようにしたことを特徴とする請求項１または２記載のフェイスマスク。
【請求項４】
シート状の基材に美容液などを含浸させたり塗布したフェイスマスクを製造するためのシート状の基材であって、繊維径が５０〜１０００ｎｍの合成繊維を５〜５０重量％含み、目付けが３０〜１００ｇ／ｍ２、湿潤動摩擦係数が２．０以上、湿潤剛軟度が１〜５ｃｍである不織布からなり、顔を覆う本体部とその下部に２本の足部を有し、本体部で顔を覆った後、顎の下でそれぞれの足部をクロスさせ、右側の足部は左側のフェイスラインに沿って、左側の足部は右側のフェイスラインに沿って、それぞれ持ち上げて本体部に密着させて用いられる形状を有することを特徴とするシート状の基材。
【発明の詳細な説明】
【技術分野】
【０００１】
本発明は、シート状の基材に美容液などを含浸させたり塗布したフェイスマスクに関する。
【背景技術】
【０００２】
従来から、シート状の基材に美容液などを含浸させたり塗布したフェイスマスクは、エイジングケアに有効な手段として重宝され、多くの女性が愛用していることは周知の通りである。しかしながら、その形状は一般的に顔を覆うだけのものであり、顔面のシミやくすみへの対策や保湿維持などは効果的に行うことができるが、左右のフェイスラインの引き締め効果（リフトアップ効果）は有していない（例えば特許文献１）。
【先行技術文献】
【特許文献】
【０００３】
【特許文献１】特開２００４−００２２５３号公報
【発明の概要】
【発明が解決しようとする課題】
【０００４】
そこで本発明は、緩んだ左右のフェイスラインの引き締め効果を有するフェイスマスクを提供することを目的とする。
【課題を解決するための手段】
【０００５】
本発明者らは、上記の点に鑑みて鋭意研究を行った結果、フェイスマスクのシート状の基材として繊維径がナノメートルオーダーの合成繊維を含む顔面への貼り付き性などに優れた不織布を用いるとともに、顔を覆う本体部の下部に左右のフェイスラインの引き締め機能を発揮する２本の足部を設けることで、上記の課題を解決することができることを見出した。
【０００６】
上記の知見に基づいてなされた本発明のシート状の基材に美容液などを含浸させたり塗布したフェイスマスクは、請求項１記載の通り、基材が、繊維径が５０〜１０００ｎｍの合成繊維を５〜５０重量％含み、目付けが３０〜１００ｇ／ｍ２、湿潤動摩擦係数が２．０以上、湿潤剛軟度が１〜５ｃｍである不織布からなり、顔を覆う本体部とその下部に２本の足部を有し、本体部で顔を覆った後、顎の下でそれぞれの足部をクロスさせ、右側の足部は左側のフェイスラインに沿って、左側の足部は右側のフェイスラインに沿って、それぞれ持ち上げて本体部に密着させて用いられる形状を有することを特徴とする。
また、請求項２記載のフェイスマスクは、請求項１記載のフェイスマスクにおいて、足部は末端に行くにつれて幅狭になるが末端部はその直前の横幅よりも幅広であることを特徴とする。
また、請求項３記載のフェイスマスクは、請求項１または２記載のフェイスマスクにおいて、本体部の左右の頬の部分に切れ込み線を有してなり、本体部で顔を覆った後、切れ込み線より下の部分の端部の少なくとも一部を持ち上げることで切れ込み線より上の部分に重ね合わせることができるようにしたことを特徴とする。
また、本発明のシート状の基材に美容液などを含浸させたり塗布したフェイスマスクを製造するためのシート状の基材は、請求項４記載の通り、繊維径が５０〜１０００ｎｍの合成繊維を５〜５０重量％含み、目付けが３０〜１００ｇ／ｍ２、湿潤動摩擦係数が２．０以上、湿潤剛軟度が１〜５ｃｍである不織布からなり、顔を覆う本体部とその下部に２本の足部を有し、本体部で顔を覆った後、顎の下でそれぞれの足部をクロスさせ、右側の足部は左側のフェイスラインに沿って、左側の足部は右側のフェイスラインに沿って、それぞれ持ち上げて本体部に密着させて用いられる形状を有することを特徴とする。
【発明の効果】
【０００７】
本発明によれば、緩んだ左右のフェイスラインの引き締め効果を有するフェイスマスクを提供することができる。
【図面の簡単な説明】
【０００８】
【図１】本発明のフェイスマスクの一例の正面図である。
【図２】同、平面図である。
【図３】同、右側面図である。
【図４】同、底面図である。
【図５】同、Ａ−Ａ線断面図である。
【図６】同、Ｂ−Ｂ線断面図である。
【図７】同、Ｃ−Ｃ線断面図である。
【図８】同、Ｄ−Ｄ線断面図である。
【図９】同、Ｅ−Ｅ線断面図である。
【図１０】同、Ｆ−Ｆ線断面図である。
【図１１】同、Ｇ−Ｇ線断面図である。
【図１２】本発明のフェイスマスクの一例の使用方法の説明図（その１）である。
【図１３】同、説明図（その２）である。
【図１４】同、説明図（その３）である。
【図１５】同、説明図（その４）である。
【発明を実施するための形態】
【０００９】
以下、本発明のフェイスマスクを図面に基づいて説明するが、本発明のフェイスマスクは以下の記載に限定して解釈されるものではない。
【００１０】
図１は、本発明のフェイスマスクの一例の正面図である。図２〜４は、それぞれ、このフェイスマスクの平面図、右側面図、底面図である。図５〜１１は、それぞれ、このフェイスマスクのＡ−Ａ線断面図、Ｂ−Ｂ線断面図、Ｃ−Ｃ線断面図、Ｄ−Ｄ線断面図、Ｅ−Ｅ線断面図、Ｆ−Ｆ線断面図、Ｇ−Ｇ線断面図である。このフェイスマスクは、シート状の基材に美容液などを含浸させたり塗布したものであり、顔を覆う本体部とその下部に２本の足部を有する形状である。２本の足部は、本体部で顔を覆った後（図１２：本体部の眼の部分は図略、以下同じ）、顎の下でそれぞれの足部をクロスさせ（図１４）、右側の足部は左側のフェイスラインに沿って、左側の足部は右側のフェイスラインに沿って、それぞれ持ち上げて本体部に密着させて用いられることで、左右のフェイスラインの引き締め機能を発揮する（図１５）。フェイスマスクの大きさは、例えば全長が３００〜４００ｍｍ、本体部の最大横幅が２００〜３００ｍｍである。本体部の長さと足部の長さの比率は、例えば本体部の長さが１に対して足部の長さが０．５〜１である。本体部の長さに対する足部の長さの比率が小さすぎると、２本の足部のそれぞれを顎の下でクロスさせてからフェイスラインに沿って持ち上げることができなくなることでフェイスラインの引き締め機能を発揮できなくなる一方、本体部の長さに対する足部の長さの比率が大きすぎると、フェイスマスクの製品化の際に折り畳んで袋に収納することを機械的に行うことが困難になったり使用時に足部が本体部に絡まりやすくなるなどしてその取扱いが困難になったりする。なお、フェイスマスクの本体部の長さは本体部の頂部から足部の付け根までと規定され、足部の長さは足部の付け根からその末端までと規定される（図１参照）。フェイスマスクの足部は、末端に行くにつれて幅狭になるが末端部はその直前の横幅よりも幅広であることが望ましい。足部が末端に行くにつれて幅狭になることで、２本の足部のそれぞれを顎の下でクロスさせてからフェイスラインに沿って持ち上げることが容易となり、末端部がその直前の横幅よりも幅広であることで、足部をフェイスラインに沿って持ち上げた後の本体部との密着性を良好なものにすることができる。
【００１１】
このフェイスマスクを製造するための基材は、繊維径が５０〜１０００ｎｍの合成繊維を５〜５０重量％含み、目付けが３０〜１００ｇ／ｍ２、湿潤動摩擦係数が２．０以上、湿潤剛軟度が１〜５ｃｍである不織布からなる。こうした不織布は、特開２０１２−６７３９９号公報から公知であり、美容液などを含浸させたり塗布した後の顔面への貼り付き性や肌当たり性に優れることに加え、美容液などの担持性に優れる。また、こうした不織布は、美容液などを含浸させたり塗布した後の不織布同士の貼り付き性にも優れるので、２本の足部をそれぞれフェイスラインに沿って持ち上げて本体部に密着させると、手でその状態を維持しなくても両者は密着したままであり、じっとしていなくても（多少の動きを伴っても）密着状態が良好に維持される（即ち、図１５においてそれぞれの足部を本体部に密着させてから手を離しても足部が本体部から剥がれ落ちたり貼り付きズレが生じたりといったことが容易に起こらない）。従って、顔をパックした後は両手を自由に使えるので、顔をパックしながら髪をドライヤーで乾かすといったことも可能である。なお、上記の不織布において、湿潤動摩擦係数と湿潤剛軟度は、特開２０１２−６７３９９号公報に記載の通り、温度が２０℃の水中に試料を浸漬させてから、温度２０℃×相対湿度６５％の環境下で１０分間吊るした直後に測定するものとする。繊維径が５０〜１０００ｎｍの合成繊維としては、例えば繊維径が５０〜１０００ｎｍのポリエステル繊維が挙げられる。ポリエステルの種類としては、ポリエチレンテレフタレートやポリトリメチレンテレフタレート、ポリブチレンテレフタレート、ステレオコンプレックスポリ乳酸、ポリ乳酸、第３成分を共重合させたポリエステルなどが例示される。不織布に含まれるその他の繊維としては、例えば単繊維繊度が０．０５〜１．０ｄｔｅｘで繊維長が３〜２０ｍｍの有機繊維が挙げられる。有機繊維の種類としては、ポリエステル繊維やポリオレフィン繊維などの合成繊維、レーヨン繊維、綿繊維などが例示される。繊維径が５０〜１０００ｎｍの合成繊維と単繊維繊度が０．０５〜１．０ｄｔｅｘで繊維長が３〜２０ｍｍの有機繊維は、特開２０１２−６７３９９号公報に記載の方法に従って不織布に加工され、フェイスマスクを製造するためのシート状の基材として用いられる。
【００１２】
図１に示すフェイスマスクは、本体部の左右の頬の部分に切れ込み線を有しており、本体部で顔を覆った後、切れ込み線より下の部分の端部の少なくとも一部（例えば図１における持ち上げツマミ部）を持ち上げることで切れ込み線より上の部分に重ね合わせることができる（図１３）。２本の足部をそれぞれフェイスラインに沿って持ち上げる前に、切れ込み線より下の部分の端部の少なくとも一部を持ち上げて切れ込み線より上の部分に重ね合わせておくことで、２本の足部による持ち上げ効果とこの切れ込み線による持ち上げ効果が相俟って、よりいっそうのフェイスラインの引き締め効果が得られる。
【００１３】
なお、図１に示すフェイスマスクは、鼻の部分や額の部分に顔面への貼り付き性を向上させるための切れ込み線を有しているが、こうした顔面への貼り付き性を向上させるための切れ込み線は、適宜、所定の場所に所定の長さで設ければよい。また、図１に示すフェイスマスクは、眼を覆う部分が存在するが、この部分はなくてもよい。また、図１に示すフェイスマスクは、その製品化の際の取扱い性をよくするためなどの観点から、左右の足部を接合するための接合部が２ヵ所、頬の部分の切れ込み線の上下を接合するための接合部が１ヵ所設けられており、使用の際にはこれらの接合部は切り離されるが、これらの接合部の個数や場所は任意に設定することができる。
【００１４】
シート状の基材に含浸させたり塗布する美容液などは、自体公知の成分を含むものであってよい。
【実施例】
【００１５】
以下、本発明を実施例によって詳細に説明するが、本発明は以下の記載に限定して解釈されるものではない。
【００１６】
実施例１：
図１に示すフェイスマスクを製造するためのシート状の基材を自体公知の方法で形状加工して得た（全長：３２０ｍｍ、本体部の最大横幅：２２５ｍｍ、本体部の長さに対する足部の長さの比率：０．７）。基材として用いた不織布は、繊維径が７００ｎｍのポリエチレンテレフタレート繊維を１０重量％、単繊維繊度が０．１ｄｔｅｘで繊維長が５ｍｍで繊維径が３μｍのポリエチレンテレフタレート繊維を５０重量％、単繊維繊度が０．８ｄｔｅｘで繊維長が７ｍｍで繊維径が９μｍのレーヨン繊維を４０重量％含み、目付けが６０ｇ／ｍ２、湿潤動摩擦係数が２．３、湿潤剛軟度が２．４ｃｍである不織布であり、特開２０１２−６７３９９号公報に記載の方法に従って調製した。なお、基材として用いた不織布の湿潤動摩擦係数と湿潤剛軟度は、温度が２０℃の水中に試料を浸漬させてから、温度２０℃×相対湿度６５％の環境下で１０分間吊るした直後に測定した。湿潤動摩擦係数は、１０ｃｍ×５ｃｍの試料をヘッド（１３６ｇ）の下に貼り付け、平滑な台の上に敷かれたシリコンラバー（擬似肌）上に置き、ヘッドを等速（１０ｃｍ／分）で１０ｃｍ以上動かした時の抵抗値（Ｆ）をＵゲージで測定して記録し（ｎ数５の平均）、湿潤動摩擦係数（μ）＝Ｕゲージの読み（Ｆ）／ヘッドと試料の荷重（Ｒ）の数式から求めた。試料はタテ方向（長手方向）で測定した。湿潤剛軟度は、ＪＩＳ  Ｌ１０９６  ６．１９．１Ａ法（４５°カンチレバー法）でタテ方向（長手方向）を測定した。このシート状の基材に、水、グリセリン、ＰＥＧ−４００、ヒアルロン酸ナトリウム、水溶性プロテオグリカン、植物エキス、オリゴペプチド（ＥＧＦ様，ＩＧＦ様，ＦＧＦ様）などからなる自体公知の美容液を含浸させ、本発明のフェイスマスクを製造した。
【００１７】
比較例１：
市販のコットンシートを基材として用いること以外は実施例１と同様にしてフェイスマスクを製造した。
【００１８】
比較例２：
基材の形状を実施例１における基材の形状の本体部のみとしたこと以外は実施例１と同様にしてフェイスマスクを製造した。
【００１９】
試験例１：３種類のフェイスマスクの評価試験
（試験方法）
実施例１、比較例１、比較例２のフェイスマスクを、２０〜３０代の女性１５人にそれぞれ異なる日に使用してもらった。実施例１と比較例１のフェイスマスクについては図１２〜１５に示す方法で使用してもらった。それぞれのフェイスマスクについて、使用後、肌につけた時の感触、貼り付け中のズレの有無、パック後のリフトアップ効果、パック後の肌の引き締まり感、総合満足度を評価してもらった。評価は、比較例１のフェイスマスクの評価を５点満点の３点とし、実施例１と比較例２のフェイスマスクを、比較例１のフェイスマスクと比較し、非常に劣る（１点）、劣る（２点）、同等（３点）、優る（４点）、非常に優る（５点）のいずれかで評価する方法を採用した。
【００２０】
（試験結果）
表１に示す（実施例１と比較例２のフェイスマスクの評価点は１５人の評価点の平均値である）。なお、表１には、それぞれのフェイスマスクの基材として用いた不織布の湿潤動摩擦係数、湿潤剛軟度、荷重１Ｎ時の伸び率をあわせて示す。湿潤動摩擦係数と湿潤剛軟度の測定方法は前述の通りである。荷重１Ｎ時の伸び率は、５ｃｍ×２．５ｃｍの試料を温度が２０℃の水中に浸漬させてから、温度２０℃×相対湿度６５％の環境下で１０分間吊るした直後、ＪＩＳ  Ｌ１０９６（一般織物試験方法）に基づいて測定した。表１から明らかなように、実施例１のフェイスマスクは、比較例１と比較例２のいずれのフェイスマスクよりも高評価であり、本発明のフェイスマスクにおける基材として用いた不織布と形状の組み合わせ効果が証明された。
【００２１】
【表１】
0006000638.tif 000002
【産業上の利用可能性】
【００２２】
本発明は、緩んだ左右のフェイスラインの引き締め効果を有するフェイスマスクを提供することができる点において産業上の利用可能性を有する。
【図１】
0006000638.tif 000003
【図２】
0006000638.tif 000004
【図３】
0006000638.tif 000005
【図４】
0006000638.tif 000006
【図５】
0006000638.tif 000007
【図６】
0006000638.tif 000008
【図７】
0006000638.tif 000009
【図８】
0006000638.tif 000010
【図９】
0006000638.tif 000011
【図１０】
0006000638.tif 000012
【図１１】
0006000638.tif 000013
【図１２】
0006000638.tif 000014
【図１３】
0006000638.tif 000015
【図１４】
0006000638.tif 000016
【図１５】
0006000638.tif 000017